(57)【要約】【課題】複数種類の大きさのスピーカを取り付けることができる表示装置を提供する。【解決手段】画像を表示する液晶パネル６と、液晶パネル６の背面側に配置され、且つ、開口部３２を有するリアフレーム１０及びリアカバー１２と、リアフレーム１０に設けられた一対の突部３４と、リアフレーム１０に設けられ、且つ、一対の突部３４を挟んで開口部３２と反対側に配置された一対の突部４４と、一対の突部３４に取り付け可能であり、且つ、第１の大きさを有する第１のスピーカ１６と、一対の突部４４に取り付け可能であり、且つ、第２の大きさを有する第２のスピーカ２０と、リアフレーム１０及びリアカバー１２に設けられた第１の包囲面５０と、を備える。【選択図】図４
2015041816.tif 000002
【特許請求の範囲】
【請求項１】
画像を表示する表示パネルと、
前記表示パネルの背面側に配置され、且つ、開口部を有する背面部材と、
前記背面部材に設けられた第１の取付部と、
前記背面部材に設けられ、且つ、前記第１の取付部を挟んで前記開口部と反対側に配置された第２の取付部と、
前記第１の取付部及び前記第２の取付部の一方に取り付けられ、且つ、音を出力する出力部を有するスピーカと、
前記背面部材に設けられた第１の包囲面と、を備え、
前記スピーカの大きさが第１の大きさである場合には、前記スピーカは、前記出力部が前記開口部に配置されるようにして前記第１の取付部に取り付けられ、
前記スピーカの大きさが前記第１の大きさよりも小さい第２の大きさである場合には、前記スピーカは、前記出力部が前記開口部側を向くようにして前記第２の取付部に取り付けられ、且つ、前記第１の包囲面は、前記開口部と前記出力部との間の第１の空間の少なくとも一部を包囲する
表示装置。
【請求項２】
前記第１の包囲面は、前記第１の空間の全周を包囲しており、
前記第１の包囲面の径は、前記第２の取付部に取り付けられた前記スピーカの前記出力部から前記開口部に向けて拡大している
請求項１に記載の表示装置。
【請求項３】
前記背面部材は、
前記表示パネルの背面側に配置された背面筐体と、
前記背面筐体の一部を外部より覆うカバー部材と、を有し、
前記スピーカは、前記第１の取付部及び前記第２の取付部の一方に取り付けられた際に、前記背面筐体と前記カバー部材との間に挟み込まれる
請求項１又は２に記載の表示装置。
【請求項４】
さらに、前記スピーカと前記背面筐体及び前記カバー部材との間に介在されるシール部材を備える
請求項３に記載の表示装置。
【請求項５】
前記第１の取付部及び前記第２の取付部の各々は、突部及び凹部の一方を有し、
前記スピーカは、前記突部及び前記凹部の他方を有しており、
前記スピーカは、前記突部が前記凹部に挿入されることにより、前記第１の取付部及び前記第２の取付部の一方に取り付けられる
請求項１〜４のいずれか１項に記載の表示装置。
【請求項６】
さらに、前記背面部材に設けられ、且つ、前記第２の取付部を挟んで前記開口部と反対側に配置された第３の取付部と、
前記背面部材に設けられ、且つ、前記第１の包囲面を挟んで前記開口部と反対側に配置された第２の包囲面と、を備え、
前記スピーカの大きさが前記第２の大きさよりも小さい第３の大きさである場合には、前記スピーカは、前記出力部が前記開口部側を向くようにして前記第３の取付部に取り付けられ、且つ、前記第１の包囲面及び前記第２の包囲面は、前記開口部と前記出力部との間の第２の空間の少なくとも一部を包囲する
請求項１〜５のいずれか１項に記載の表示装置。
【請求項７】
前記第１の包囲面及び前記第２の包囲面は、前記第２の空間の全周を包囲しており、
前記第１の包囲面及び前記第２の包囲面の各々の径は、前記第３の取付部に取り付けられた前記スピーカの前記出力部から前記開口部に向けて拡大している
請求項６に記載の表示装置。
【請求項８】
前記開口部は、前記背面部材の下端部に設けられている
請求項１〜７のいずれか１項に記載の表示装置。
【発明の詳細な説明】
【技術分野】
【０００１】
本発明は、画像を表示するための表示装置に関する。
【背景技術】
【０００２】
例えば液晶テレビジョン受像機等のように、表示パネルの背面に向けて光を照射するバックライトユニットを備えた表示装置が知られている（例えば、特許文献１参照）。この表示装置の筐体には、例えば、表示パネル、バックライト及びスピーカ等が内蔵されている。これらのうち、スピーカは、筐体に設けられたスピーカ取付構造に取り付けられている。
【先行技術文献】
【特許文献】
【０００３】
【特許文献１】特開２０１２−２４９３３１号公報
【発明の概要】
【発明が解決しようとする課題】
【０００４】
一般に、スピーカから出力される音の音質及び音量は、スピーカの大きさと関連性があり、スピーカの大きさが大きいほど高音質及び大音量を得ることができる傾向にある。そのため、表示装置の設計段階において、表示装置の仕様に応じてスピーカの大きさを適宜選択する場合がある。
【０００５】
しかしながら、上述したスピーカ取付構造は、１種類の大きさのスピーカにしか対応していないので、スピーカの大きさを変更する際には、変更後のスピーカの大きさに応じてスピーカ取付構造を設計変更しなければならないという課題が生じる。なお、スピーカ取付構造の設計変更には、筐体を成型するための金型等を変更する必要があり、表示装置の製造コストが上昇するという課題も生じる。
【０００６】
本発明は、上述した課題を解決しようとするものであり、その目的は、複数種類の大きさのスピーカを背面部材に取り付けることができる表示装置を提供することである。
【課題を解決するための手段】
【０００７】
上記目的を達成するために、本発明の一態様に係る表示装置は、画像を表示する表示パネルと、前記表示パネルの背面側に配置され、且つ、開口部を有する背面部材と、前記背面部材に設けられた第１の取付部と、前記背面部材に設けられ、且つ、前記第１の取付部を挟んで前記開口部と反対側に配置された第２の取付部と、前記第１の取付部及び前記第２の取付部の一方に取り付けられ、且つ、音を出力する出力部を有するスピーカと、前記背面部材に設けられた第１の包囲面と、を備え、前記スピーカの大きさが第１の大きさである場合には、前記スピーカは、前記出力部が前記開口部に配置されるようにして前記第１の取付部に取り付けられ、前記スピーカの大きさが前記第１の大きさよりも小さい第２の大きさである場合には、前記スピーカは、前記出力部が前記開口部側を向くようにして前記第２の取付部に取り付けられ、且つ、前記第１の包囲面は、前記開口部と前記出力部との間の第１の空間の少なくとも一部を包囲する。
【０００８】
本態様によれば、背面部材には第１の取付部及び第２の取付部が設けられているので、背面部材の形状等を変更することなく、複数種類（例えば、大小２種類）の大きさのスピーカを背面部材に取り付けることができる。例えば、表示装置の仕様として高音質且つ大音量の特性を有するスピーカを搭載するという仕様の場合には、第１の大きさのスピーカを第１の取付部に取り付けることができる。このとき、スピーカの出力部は開口部に配置されるので、出力部からの音は、開口部を通して表示装置の外部にダイレクトに放散される。一方、例えば表示装置の仕様として低音質且つ小音量の特性を有するスピーカを搭載するという仕様の場合には、第１の大きさよりも小さい第２の大きさのスピーカを第２の取付部に取り付けることができる。このとき、スピーカの出力部と開口部との間の第１の空間の全周の少なくとも一部は第１の包囲面により包囲されるので、出力部からの音は、第１の包囲面により反射されながら開口部を通して表示装置の外部に放散される。
【０００９】
例えば、本発明の一態様に係る表示装置において、前記第１の包囲面は、前記第１の空間の全周を包囲しており、前記第１の包囲面の径は、前記第２の取付部に取り付けられた前記スピーカの前記出力部から前記開口部に向けて拡大しているように構成してもよい。
【００１０】
本態様によれば、第１の包囲面の径は、第２の取付部に取り付けられたスピーカの出力部から開口部に向けて拡大しているので、第２の大きさのスピーカが第２の取付部に取り付けられている際に、周波数特性のあばれを抑制することができ、出力部からの音を表示装置の外部に効率良く導くことができる。なお、第１の包囲面は、例えば、ラッパ形状、円錐形状又は多角錐形状等に形成することができる。
【００１１】
例えば、本発明の一態様に係る表示装置において、前記背面部材は、前記表示パネルの背面側に配置された背面筐体と、前記背面筐体の一部を外部より覆うカバー部材と、を有し、前記スピーカは、前記第１の取付部及び前記第２の取付部の一方に取り付けられた際に、前記背面筐体と前記カバー部材との間に挟み込まれるように構成してもよい。
【００１２】
本態様によれば、背面部材は背面筐体及びカバー部材を有しているので、スピーカを背面筐体とカバー部材との間に挟み込むことにより、スピーカを背面部材に取り付けることができる。
【００１３】
例えば、本発明の一態様に係る表示装置において、さらに、前記スピーカと前記背面筐体及び前記カバー部材との間に介在されるシール部材を備えるように構成してもよい。
【００１４】
本態様によれば、スピーカと背面筐体及びカバー部材との間にシール部材が介在されているので、スピーカと背面筐体及びカバー部材との間をシールすることができる。その結果、出力部からの音を表示装置の外部に効率良く出力することができる。
【００１５】
例えば、本発明の一態様に係る表示装置において、前記第１の取付部及び前記第２の取付部の各々は、突部及び凹部の一方を有し、前記スピーカは、前記突部及び前記凹部の他方を有しており、前記スピーカは、前記突部が前記凹部に挿入されることにより、前記第１の取付部及び前記第２の取付部の一方に取り付けられるように構成してもよい。
【００１６】
本態様によれば、スピーカは、突部が凹部に挿入されることにより、第１の取付部及び第２の取付部の一方に取り付けられるので、スピーカの取り付けを容易に行うことができる。
【００１７】
例えば、本発明の一態様に係る表示装置において、さらに、前記背面部材に設けられ、且つ、前記第２の取付部を挟んで前記開口部と反対側に配置された第３の取付部と、前記背面部材に設けられ、且つ、前記第１の包囲面を挟んで前記開口部と反対側に配置された第２の包囲面と、を備え、前記スピーカの大きさが前記第２の大きさよりも小さい第３の大きさである場合には、前記スピーカは、前記出力部が前記開口部側を向くようにして前記第３の取付部に取り付けられ、且つ、前記第１の包囲面及び前記第２の包囲面は、前記開口部と前記出力部との間の第２の空間の少なくとも一部を包囲するように構成してもよい。
【００１８】
本態様によれば、背面部材には第３の取付部が設けられているので、背面部材の形状等を変更することなく、複数種類（例えば、大中小３種類）の大きさのスピーカを背面部材に取り付けることができる。第３の大きさのスピーカが第３の取付部に取り付けられた際に、スピーカの出力部と開口部との間の第２の空間の全周の少なくとも一部は第１の包囲面及び第２の包囲面により包囲される。これにより、出力部からの音は、第１の包囲面及び第２の包囲面により反射されながら開口部を通して表示装置の外部に放散される。
【００１９】
例えば、本発明の一態様に係る表示装置において、前記第１の包囲面及び前記第２の包囲面は、前記第２の空間の全周を包囲しており、前記第１の包囲面及び前記第２の包囲面の各々の径は、前記第３の取付部に取り付けられた前記スピーカの前記出力部から前記開口部に向けて拡大しているように構成してもよい。
【００２０】
本態様によれば、第１の包囲面及び第２の包囲面の各々の径は、第３の取付部に取り付けられたスピーカの出力部から開口部に向けて拡大しているので、第３の大きさのスピーカが第３の取付部に取り付けられている際に、周波数特性のあばれを抑制することができ、出力部からの音を表示装置の外部に効率良く導くことができる。なお、第１の包囲面及び第２の包囲面の各々は、例えば、ラッパ形状、円錐形状又は多角錐形状等に形成することができる。
【００２１】
例えば、本発明の一態様に係る表示装置において、前記開口部は、前記背面部材の下端部に設けられているように構成してもよい。
【００２２】
本態様によれば、開口部は背面部材の下端部に設けられているので、出力部が表示部の下方を向くようにしてスピーカを第１の取付部等に取り付けることができる。
【発明の効果】
【００２３】
本発明の一態様に係る表示装置によれば、複数種類の大きさのスピーカを背面部材に取り付けることができる。
【図面の簡単な説明】
【００２４】
【図１】実施の形態１に係る表示装置の正面側を示す斜視図である。
【図２】実施の形態１に係る表示装置の背面側を示す斜視図である。
【図３】リアカバーをリアフレームから取り外した状態での、実施の形態１に係る表示装置の背面側を示す斜視図である。
【図４】図３の第１のスピーカ及びその周辺の構成を拡大して示す要部斜視図である。
【図５】第１のスピーカをリアフレームとリアカバーとの間に挟み込む前の状態を示す要部断面斜視図である。
【図６】リアカバーの一部を拡大して示す要部断面斜視図である。
【図７】第１のスピーカをリアフレームとリアカバーとの間に挟み込んだ状態を示す要部断面斜視図である。
【図８】第１のスピーカをリアフレームとリアカバーとの間に挟み込んだ状態を示す、図７中のＡ−Ａ線による断面図である。
【図９】第２のスピーカ及びその周辺の構成を拡大して示す要部斜視図である。
【図１０】第２のスピーカをリアフレームとリアカバーとの間に挟み込んだ状態を示す断面図である。
【図１１】実施の形態２に係る表示装置の第１のスピーカをリアフレームとリアカバーとの間に挟み込む前の状態を示す要部斜視図である。
【図１２】実施の形態３に係る表示装置の第３のスピーカをリアフレームとリアカバーとの間に挟み込む前の状態を示す要部斜視図である。
【図１３】第３のスピーカをリアフレームとリアカバーとの間に挟み込んだ状態を示す断面図である。
【発明を実施するための形態】
【００２５】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２６】
（実施の形態１）
［表示装置の全体構成］
まず、図１〜図３を参照しながら、実施の形態１に係る表示装置の全体構成について説明する。図１は、実施の形態１に係る表示装置の正面側を示す斜視図である。図２は、実施の形態１に係る表示装置の背面側を示す斜視図である。図３は、リアカバーをリアフレームから取り外した状態での、実施の形態１に係る表示装置の背面側を示す斜視図である。
【００２７】
図１に示すように、表示装置２は、筐体４と、筐体４の内部に設けられた液晶パネル６（表示パネルを構成する）及びバックライトユニット（図示せず）と、を備えている。本実施の形態の表示装置２は、例えば、直下型のバックライトユニットを備えた液晶テレビジョン受像機である。
【００２８】
図１及び図２に示すように、筐体４は、フロントキャビネット８及びリアフレーム１０（背面部材及び背面筐体の各々を構成する）が相互に組み合わされることにより構成されている。
【００２９】
フロントキャビネット８は、液晶パネル６の正面側に配置されている。フロントキャビネット８は額縁状に構成され、液晶パネル６の外周部を覆っている。なお、フロントキャビネット８は、例えば樹脂で形成されている。
【００３０】
リアフレーム１０は、液晶パネル６の背面側に配置されている。リアフレーム１０は、液晶パネル６とは反対側にやや膨らんだ形状を有しており、液晶パネル６の背面全体を覆っている。液晶パネル６とリアフレーム１０との間には、バックライトユニットが配置されている。なお、リアフレーム１０は、例えば板金で形成されている。
【００３１】
リアフレーム１０の外面には、リアカバー１２（背面部材及びカバー部材の各々を構成する）が取り付けられている。このリアカバー１２は、リアフレーム１０の外面に取り付けられた電源基板等（図示せず）を外部より覆うためのものである。リアフレーム１０の下端部には、筐体４を下方より支持するためのスタンド１４が取り付けられている。なお、リアカバー１２及びスタンド１４はそれぞれ、例えば樹脂で形成されている。
【００３２】
図３に示すように、リアフレーム１０の下端部には、第１の大きさを有する一対の第１のスピーカ１６（一対の第１のスピーカ１６の各々はスピーカを構成する）が取り付けられている。なお、本願明細書において、スピーカの大きさとは、スピーカの横幅及び高さ等を意味する。一対の第１のスピーカ１６の各々は、リアカバー１２によって覆われている。一対の第１のスピーカ１６の各々は、音を出力する出力部１８（後述する図５参照）を有している。なお、出力部１８は、例えばセンターキャップ及び振動板等で構成されている。一対の第１のスピーカ１６の各々は、その出力部１８が表示装置２の下方を向くようにして、リアフレーム１０とリアカバー１２との間に挟み込まれている。従って、出力部１８からの音は、表示装置２の下方に向けて（すなわち、スタンド１４が設置される面に向けて）出力される。
【００３３】
本実施の形態の表示装置２の特徴として、リアフレーム１０及びリアカバー１２には、複数種類の大きさのスピーカを取り付けることができる。具体的には、リアフレーム１０及びリアカバー１２には、第１の大きさを有する一対の第１のスピーカ１６及び第１の大きさよりも小さい第２の大きさを有する一対の第２のスピーカ２０（一対の第２のスピーカ２０の各々はスピーカを構成する）（後述する図９参照）のいずれか一方を取り付けることができる。以下では、異なる大きさの第１のスピーカ１６及び第２のスピーカ２０をリアフレーム１０及びリアカバー１２に取り付けるための取付構造について説明する。
【００３４】
［スピーカの取付構造］
まず、図４〜図８を参照しながら、一対の第１のスピーカ１６の各々をリアフレーム１０及びリアカバー１２に取り付けるための取付構造について説明する。図４は、図３の第１のスピーカ及びその周辺の構成を拡大して示す要部斜視図である。図５は、第１のスピーカをリアフレームとリアカバーとの間に挟み込む前の状態を示す要部断面斜視図である。図６は、リアカバーの一部を拡大して示す要部断面斜視図である。図７は、第１のスピーカをリアフレームとリアカバーとの間に挟み込んだ状態を示す要部断面斜視図である。図８は、第１のスピーカをリアフレームとリアカバーとの間に挟み込んだ状態を示す、図７中のＡ−Ａ線による断面図である。
【００３５】
図４に示すように、第１のスピーカ１６の出力部１８と反対側の面には、一対のブラケット２２が設けられている。一対のブラケット２２の各々には、凹部２４が設けられている。凹部２４は、例えば、ブラケット２２をその厚み方向に貫通する円形状の孔である。一対の凹部２４は、間隔Ｄ１を置いて配置されている。また、第１のスピーカ１６の外周部には、リング状のシール部材２６が取り付けられている。シール部材２６は、例えば、クッション材又はゴム材等で形成されている。
【００３６】
図５に示すように、リアフレーム１０の下端部における外面には、凹形状の切り欠き部２８が設けられている。さらに、図５及び図６に示すように、リアカバー１２の下端部における内面には、凹形状の切り欠き部３０が設けられている。図７に示すように、リアフレーム１０がリアカバー１２に取り付けられた状態では、上述した切り欠き部２８，３０が相互に組み合わされることにより、リアフレーム１０及びリアカバー１２の下面（すなわち、背面部材の下端部）には開口部３２が形成される。この開口部３２は、第１のスピーカ１６の外形状に対応した形状を有している。
【００３７】
図４及び図５に示すように、リアフレーム１０の下端部における外面には、円柱状の一対の突部３４（第１の取付部を構成する）が設けられている。一対の突部３４の各々は、切り欠き部２８の近傍に配置されており、リアカバー１２に向けて延びている。一対の突部３４は、間隔Ｄ１を置いて配置されている。すなわち、一対の突部３４の配置間隔は、第１のスピーカ１６の一対の凹部２４の配置間隔に対応した大きさに設定されている。
【００３８】
第１のスピーカ１６をリアフレーム１０及びリアカバー１２に取り付ける際には、まず、図４及び図５に示すように、リアカバー１２をリアフレーム１０から取り外した状態で、第１のスピーカ１６の一対の凹部２４にそれぞれ一対の突部３４を挿入する。これにより、第１のスピーカ１６がリアフレーム１０に対して位置決めされる。このとき、第１のスピーカ１６の外周部の一部は、シール部材２６を介してリアフレーム１０の切り欠き部２８に配置される。さらに、リアカバー１２がリアフレーム１０に取り付けられることにより、図７に示すように、第１のスピーカ１６の外周部の他の一部は、シール部材２６を介してリアカバー１２の切り欠き部３０に配置される。これにより、第１のスピーカ１６の外周部が切り欠き部２８，３０の間に挟み込まれるとともに、図７及び図８に示すように、出力部１８が開口部３２を通して外部に露出される。以上のようにして、第１のスピーカ１６は、リアフレーム１０とリアカバー１２との間に挟み込まれることにより、リアフレーム１０及びリアカバー１２に取り付けられる。
【００３９】
なお、第１のスピーカ１６とリアフレーム１０及びリアカバー１２との間にはシール部材２６が介在されているので、第１のスピーカ１６とリアフレーム１０及びリアカバー１２との間の隙間がシールされる。
【００４０】
次に、図９及び図１０をも参照しながら、一対の第２のスピーカ２０の各々をリアフレーム１０及びリアカバー１２に取り付けるための取付構造について説明する。図９は、第１のスピーカ及びその周辺の構成を拡大して示す要部斜視図である。図１０は、第２のスピーカをリアフレームとリアカバーとの間に挟み込んだ状態を示す断面図である。
【００４１】
上述したように、第２のスピーカ２０の大きさは、第１のスピーカ１６の第１の大きさよりも小さい第２の大きさである。図１０に示すように、第２のスピーカ２０は、音を出力する出力部３６を有している。図９及び図１０に示すように、第２のスピーカ２０の出力部３６と反対側の面には、一対のブラケット３８が設けられている。一対のブラケット３８の各々には、凹部４０が設けられている。凹部４０は、例えば、ブラケット３８をその厚み方向に貫通する円形状の孔である。一対の凹部４０は、間隔Ｄ２を置いて配置されている。なお、一対の凹部４０が配置される間隔Ｄ２は、一対の凹部２４が配置される間隔Ｄ１よりも小さい。また、第２のスピーカ２０の外周部には、リング状のシール部材４２が取り付けられている。シール部材４２は、例えば、クッション材又はゴム材等で形成されている。
【００４２】
図４、図５、図８及び図９に示すように、リアフレーム１０の下端部における外面には、円柱状の一対の突部４４（第２の取付部を構成する）が設けられている。一対の突部４４の各々は、一対の突部３４を挟んで開口部３２と反対側に配置されており、リアカバー１２に向けて延びている。一対の突部４４は、間隔Ｄ２を置いて配置されている。すなわち、一対の突部４４の配置間隔は、第２のスピーカ２０の一対の凹部４０の配置間隔に対応した大きさに設定されている。
【００４３】
図４及び図５に示すように、リアフレーム１０の下端部における外面には、曲面状の凹面部４６が設けられている。凹面部４６の一端部には、上述した切り欠き部２８が設けられている。凹面部４８の他端部は、一対の突部３４と一対の突部４４との間に配置されている。さらに、図６に示すように、リアカバー１２の下端部における内面には、曲面状の凹面部４８が設けられている。この凹面部４８は、リアフレーム１０の凹面部４６に対向して配置されている。凹面部４８の一端部には、上述した切り欠き部３０が設けられている。
【００４４】
図８及び図１０に示すように、リアカバー１２がリアフレーム１０に取り付けられた状態では、凹面部４６，４８が相互に組み合わされることにより、曲面状の第１の包囲面５０が形成される。第１の包囲面５０の一端部には、開口部３２が設けられている。また、第１の包囲面５０の他端部は、一対の突部３４と一対の突部４４との間に配置されており、第２のスピーカ２０の外形状に対応した形状を有している。さらに、第１の包囲面５０の径ｄ１は、その他端部から一端部に向けて（すなわち、第２のスピーカ２０の出力部３６から開口部３２に向けて）拡大している。換言すると、第１の包囲面５０の形状は、いわゆるラッパ形状である。
【００４５】
第２のスピーカ２０をリアフレーム１０及びリアカバー１２に取り付ける際には、まず、図９に示すように、リアカバー１２をリアフレーム１０から取り外した状態で、第２のスピーカ２０の一対の凹部４０にそれぞれ一対の突部４４を挿入する。これにより、第２のスピーカ２０は、リアフレーム１０に対して位置決めされ、その出力部３６が開口部３２側を向くようにして配置される。このとき、第２のスピーカ２０の外周部の一部は、シール部材２６を介してリアフレーム１０の凹面部４６に配置される。さらに、リアカバー１２がリアフレーム１０に取り付けられることにより、第２のスピーカ２０の外周部の他の一部は、シール部材２６を介してリアカバー１２の凹面部４８に配置される。これにより、第２のスピーカ２０の外周部が凹面部４６，４８の間に挟み込まれるとともに、図１０に示すように、第２のスピーカ２０の外周部は、第１の包囲面５０の他端部に配置される。なお、第２のスピーカ２０の出力部３６と開口部３２との間の第１の空間５２の全周は、第１の包囲面５０により包囲されている。以上のようにして、第２のスピーカ２０は、リアフレーム１０とリアカバー１２との間に挟み込まれることにより、リアフレーム１０及びリアカバー１２に取り付けられる。
【００４６】
なお、第２のスピーカ２０とリアフレーム１０及びリアカバー１２との間にはシール部材４２が介在されているので、第２のスピーカ２０とリアフレーム１０及びリアカバー１２との間の隙間がシールされる。
【００４７】
［効果］
次に、本実施の形態の表示装置２により得られる効果について説明する。上述したように、リアフレーム１０には、第１の取付部としての一対の突部３４と、第２の取付部としての一対の突部４４とが設けられている。これにより、リアフレーム１０及びリアカバー１２の各々の形状等を変更することなく、複数種類（本実施の形態では、大小２種類）の大きさの第１のスピーカ１６及び第２のスピーカ２０をリアフレーム１０及びリアカバー１２に取り付けることができる。
【００４８】
例えば、表示装置２の仕様として高音質且つ大音量の特性を有するスピーカを搭載するという仕様の場合には、第１の大きさの第１のスピーカ１６を一対の突部３４に取り付けることができる。なお、第１のスピーカ１６の出力部１８は開口部３２に配置されているので、出力部１８からの音は、開口部３２を通して表示装置２の外部にダイレクトに放散される。
【００４９】
一方、例えば表示装置２の仕様として低音質且つ小音量の特性を有するスピーカを搭載するという仕様の場合には、第２の大きさの第２のスピーカ２０を一対の突部４４に取り付けることができる。なお、第２のスピーカ２０の出力部３６と開口部３２との間の第１の空間５２の全周は第１の包囲面５０により包囲されているので、出力部３６からの音は、第１の包囲面５０により反射されながら開口部３２を通して表示装置２の外部に放散される。このとき、第１の包囲面５０の形状はいわゆるラッパ形状であるので、周波数特性のあばれを抑制することができ、出力部３６からの音を表示装置２の外部に効率良く導くことができる。
【００５０】
（実施の形態２）
次に、図１１を参照しながら、実施の形態２に係る表示装置の構成について説明する。図１１は、実施の形態２に係る表示装置の第１のスピーカをリアフレームとリアカバーとの間に挟み込む前の状態を示す要部斜視図である。なお、以下の各実施の形態では、上記実施の形態１と同一の構成要素には同一の符号を付して、その説明を省略する。
【００５１】
図１１に示すように、本実施の形態の表示装置では、第１のスピーカ１６Ａの一対のブラケット２２Ａの各々には、円柱状の突部５４が設けられている。一対の突部５４は、間隔Ｄ１を置いて配置されている。さらに、リアフレーム１０Ａの下端部における外面には、円形状の一対の凹部５６（第１の取付部を構成する）が設けられている。一対の凹部５６は、間隔Ｄ１を置いて配置されている。すなわち、一対の凹部５６の配置間隔は、第１のスピーカ１６Ａの一対の突部５４の配置間隔に対応した大きさに設定されている。
【００５２】
リアカバー１２（図５等参照）をリアフレーム１０Ａから取り外した状態で、第１のスピーカ１６Ａの一対の突部５４をそれぞれ一対の凹部５６に挿入することにより、第１のスピーカ１６Ａをリアフレーム１０Ａ及びリアカバー１２に取り付けることができる。
【００５３】
なお、上述した第１のスピーカ１６Ａと同様に、第２のスピーカ（図示せず）の一対のブラケットの各々にも突部が設けられている。リアフレーム１０Ａの下端部における外面には、一対の凹部５８（第２の取付部を構成する）が設けられている。一対の凹部５８の各々は、一対の凹部５６を挟んで開口部３２（図７等参照）と反対側に配置されている。一対の凹部５８の配置間隔は、第２のスピーカの一対の突部の配置間隔に対応した大きさに設定されている。
【００５４】
リアカバー１２をリアフレーム１０Ａから取り外した状態で、第２のスピーカの一対の突部をそれぞれ一対の凹部５８に挿入することにより、第２のスピーカをリアフレーム１０Ａ及びリアカバー１２に取り付けることができる。
【００５５】
（実施の形態３）
次に、図１２及び図１３を参照しながら、実施の形態３に係る表示装置の構成について説明する。図１２は、実施の形態３に係る表示装置の第３のスピーカをリアフレームとリアカバーとの間に挟み込む前の状態を示す要部斜視図である。図１３は、第３のスピーカをリアフレームとリアカバーとの間に挟み込んだ状態を示す断面図である。
【００５６】
図１２及び図１３に示すように、本実施の形態の表示装置では、大中小３種類の大きさのスピーカ、具体的には、第１のスピーカ１６、第２のスピーカ２０及び第３のスピーカ６０（スピーカを構成する）のいずれか１つをリアフレーム１０Ｂ及びリアカバー（図示せず）に取り付けることができる。
【００５７】
第３のスピーカ６０は、第２のスピーカ２０の第２の大きさよりもさらに小さい第３の大きさを有している。第３のスピーカ６０は、音を出力する出力部６２を有している。第３のスピーカ６０の出力部６２と反対側の面には、一対のブラケット６４が設けられている。一対のブラケット６４の各々には、凹部６６が設けられている。凹部６６は、例えば、ブラケット６４をその厚み方向に貫通する円形状の孔である。一対の凹部６６は、間隔Ｄ３を置いて配置されている。なお、一対の凹部６６が配置される間隔Ｄ３は、一対の凹部４０が配置される間隔Ｄ２よりも小さい。また、第３のスピーカ６０の外周部には、リング状のシール部材６８が取り付けられている。シール部材６８は、例えば、クッション材又はゴム材等で形成されている。
【００５８】
図１２及び図１３に示すように、リアフレーム１０Ｂの下端部における外面には、円柱状の一対の突部７０（第３の取付部を構成する）が設けられている。一対の突部７０の各々は、一対の突部４４を挟んで開口部３２と反対側に配置されており、リアカバーに向けて延びている。一対の突部７０は、間隔Ｄ３を置いて配置されている。すなわち、一対の突部７０の配置間隔は、第３のスピーカ６０の一対の凹部６６の配置間隔に対応した大きさに設定されている。
【００５９】
リアフレーム１０Ｂの下端部における外面には、曲面状の凹面部７２が設けられている。凹面部７２は、凹面部４６と連続的に形成されており、その一端部は、一対の突部４４と一対の突部７０との間に配置されている。なお、図示しないが、リアカバーの下端部における内面には、リアフレーム１０Ｂの凹面部７２に対向して配置された曲面状の凹面部が設けられている。
【００６０】
図１３に示すように、リアカバーがリアフレーム１０Ｂに取り付けられた状態では、リアフレーム１０Ｂの凹面部７２とリアカバーの凹面部とが相互に組み合わされることにより、曲面状の第２の包囲面７４が形成される。第２の包囲面７４は、第１の包囲面５０と連続的に形成されており、第１の包囲面５０を挟んで開口部３２と反対側に配置されている。第２の包囲面７４の一端部は、一対の突部４４と一対の突部７０との間に配置されており、第３のスピーカ６０の外形状に対応した形状を有している。さらに、第２の包囲面７４の径ｄ２は、その一端部から他端部に向けて（すなわち、第３のスピーカ６０の出力部６２から開口部３２側に向けて）拡大している。換言すると、第２の包囲面７４の形状は、いわゆるラッパ形状である。
【００６１】
第３のスピーカ６０をリアフレーム１０Ｂ及びリアカバーに取り付ける際には、まず、リアカバーをリアフレーム１０Ｂから取り外した状態で、第３のスピーカ６０の一対の凹部６６にそれぞれ一対の突部７０を挿入する。これにより、第３のスピーカ６０は、リアフレーム１０Ｂに対して位置決めされ、その出力部６２が開口部３２側を向くようにして配置される。さらに、リアカバーがリアフレーム１０Ｂに取り付けられることにより、第３のスピーカ６０の外周部がリアフレーム１０Ｂの凹面部７２とリアカバーの凹面部との間に挟み込まれるとともに、図１３に示すように、第３のスピーカ６０の外周部は、第２の包囲面７４の一端部に配置される。なお、第３のスピーカ６０の出力部６２と開口部３２との間の第２の空間７６の全周は、第１の包囲面５０及び第２の包囲面７４により包囲されている。以上のようにして、第３のスピーカ６０は、リアフレーム１０Ｂとリアカバーとの間に挟み込まれることにより、リアフレーム１０Ｂ及びリアカバーに取り付けられる。
【００６２】
なお、第３のスピーカ６０とリアフレーム１０Ｂ及びリアカバーとの間にはシール部材６８が介在されているので、第３のスピーカ６０とリアフレーム１０Ｂ及びリアカバーとの間の隙間がシールされる。
【００６３】
上述したように、本実施の形態のリアフレーム１０Ｂには、第１の取付部としての一対の突部３４及び第２の取付部としての一対の突部４４に加えて、第３の取付部としての一対の突部７０が設けられている。これにより、リアフレーム１０Ｂ及びリアカバーの各々の形状等を変更することなく、大中小３種類の大きさの第１のスピーカ１６、第２のスピーカ２０及び第３のスピーカ６０をリアフレーム１０Ｂ及びリアカバーに取り付けることができる。
【００６４】
例えば、表示装置の仕様として高音質且つ大音量の特性を有するスピーカを搭載するという仕様の場合には、第１の大きさの第１のスピーカ１６（図４等参照）を一対の突部３４に取り付けることができる。
【００６５】
一方、例えば表示装置の仕様として中音質且つ中音量の特性を有するスピーカを搭載するという仕様の場合には、第２の大きさの第２のスピーカ２０（図９等参照）を一対の突部４４に取り付けることができる。
【００６６】
さらに、例えば表示装置の仕様として低音質且つ小音量の特性を有するスピーカを搭載するという仕様の場合には、第３の大きさの第３のスピーカ６０を一対の突部７０に取り付けることができる。なお、第３のスピーカ６０の出力部６２と開口部３２との間の第２の空間７６の全周は第１の包囲面５０及び第２の包囲面７４により包囲されているので、出力部６２からの音は、第１の包囲面５０及び第２の包囲面７４により反射されながら開口部３２を通して表示装置の外部に放散される。このとき、第２の包囲面７４の形状はいわゆるラッパ形状であるので、周波数特性のあばれを抑制することができ、出力部６２からの音を表示装置の外部に効率良く導くことができる。
【００６７】
以上、本発明の実施の形態１〜３に係る表示装置について説明したが、本発明は、これらの実施の形態に限定されるものではない。例えば、上記各実施の形態をそれぞれ組み合わせるとしてもよい。
【００６８】
上記各実施の形態では、表示装置が液晶テレビジョン受像機である場合について説明したが、表示装置は、液晶テレビジョン受像機以外に、例えばパーソナルコンピュータ用の液晶モニタ等でもよい。
【００６９】
上記各実施の形態では、第１の包囲面及び第２の包囲面をそれぞれ曲面状に形成したが、これに限定されず、例えば複数の平面部を有する多面状に形成することもできる。この場合、第１の包囲面及び第２の包囲面はそれぞれ例えば多角錐形状等に形成することができる。
【００７０】
上記各実施の形態では、第１の包囲面及び第２の包囲面をそれぞれラッパ形状に構成したが、これに限定されず、例えば第１の包囲面及び第２の包囲面をそれぞれ円錐形状に構成することもできる。
【００７１】
上記実施の形態３では、第１の包囲面及び第２の包囲面をそれぞれラッパ形状に構成したが、これに限定されず、例えば第１の包囲面及び第２の包囲面をそれぞれ径の異なる円筒状に構成することもできる。
【００７２】
上記実施の形態１及び２では、第１の包囲面は第１の空間の全周を包囲したが、これに限定されず、第１の空間の全周の一部を包囲するようにしてもよい。この場合、例えば、リアフレーム及びリアカバーの一方のみに凹面部を設けることができる。同様に、上記実施の形態３では、第１の包囲面及び第２の包囲面は第２の空間の全周を包囲したが、これに限定されず、第２の空間の全周の一部を包囲するようにしてもよい。
【００７３】
上記実施の形態１及び３では、第１の取付部及び第２の取付部としての一対の突部をリアフレームに設けたが、リアカバーに設けることもできる。同様に、上記実施の形態２では、第１の取付部及び第２の取付部としての一対の凹部をリアフレームに設けたが、リアカバーに設けることもできる。
【産業上の利用可能性】
【００７４】
本発明は、画像を表示する表示装置等として適用することができる。
【符号の説明】
【００７５】
２  表示装置
４  筐体
６  液晶パネル
８  フロントキャビネット
１０，１０Ａ，１０Ｂ  リアフレーム
１２  リアカバー
１４  スタンド
１６，１６Ａ  第１のスピーカ
１８，３６，６２  出力部
２０  第２のスピーカ
２２，２２Ａ，３８，６４  ブラケット
２４，４０，５６，５８，６６  凹部
２６，４２，６８  シール部材
２８，３０  切り欠き部
３２  開口部
３４，４４，５４，７０  突部
４６，４８，７２  凹面部
５０  第１の包囲面
５２  第１の空間
６０  第３のスピーカ
７４  第２の包囲面
７６  第２の空間
【図１】
2015041816.tif 000003
【図２】
2015041816.tif 000004
【図３】
2015041816.tif 000005
【図４】
2015041816.tif 000006
【図５】
2015041816.tif 000007
【図６】
2015041816.tif 000008
【図７】
2015041816.tif 000009
【図８】
2015041816.tif 000010
【図９】
2015041816.tif 000011
【図１０】
2015041816.tif 000012
【図１１】
2015041816.tif 000013
【図１２】
2015041816.tif 000014
【図１３】
2015041816.tif 000015